(57)【要約】【課題】デジタル放送受信機に内蔵されたシステムソフトウェアのアップデートを自動的に行う機能を、簡易で低コスト、かつユーザの個別対応が可能となるような方法で実現することができるデジタル放送受信機を提供する。【解決手段】システムソフトウェアのアップデート用データを電子メールに添付してデジタル放送受信機に送信することにより、簡易で低コスト、かつユーザの個別対応が可能となるような方法で、デジタル放送受信機に内蔵されたシステムソフトウェアのアップデートを自動的に行うことができる。【選択図】  図１
2004178201.tif 000002
【特許請求の範囲】
【請求項１】
電子メールを受信する手段を有しており、
受信した電子メールに含まれるデータに基づいて、システムウェアをアップデートすることが可能であるデジタル放送受信機。
【請求項２】
電子メールを受信する手段と、
受信した電子メールに含まれるデータを抽出する手段と、
前記抽出したデータに基づいてシステムウェアをアップデートする手段と、を有しているデジタル放送受信機。
【請求項３】
前記デジタルテレビ受信機は、受信した電子メールのメールヘッダを解析する手段を有しており、該メールヘッダに含まれる情報に基づいて、前記電子メールがシステムウェアのアップデートを行うためのデータを含んでいることを検出することを特徴とする請求項２に記載のデジタル放送受信機。
【請求項４】
前記システムウェアのアップデートを行うためのデータは複数のデータに分割されており、該分割されたデータに付されたＩＤ情報に基づいて該分割されたデータを結合することができることを特徴とする請求項３に記載のデジタル放送受信機。
【請求項５】
前記ＩＤ情報は、電子メールのメールヘッダに含まれていることを特徴とする請求項４に記載のデジタル放送受信機。
【請求項６】
前記電子メールのメールヘッダは暗号化されており、デジタル放送波から取得されるデスクランブルキーを用いて、前記メールヘッダを復号することが可能であることを特徴とする請求項３に記載のデジタル放送受信機。
【請求項７】
前記デジタルテレビ受信機は、システムウェアのアップデートの許可をユーザに求める手段を有しており、ユーザが許可した場合に、システムウェアのアップデートを行うことを特徴とする請求項２に記載のデジタル放送受信機。
【請求項８】
前記デジタルテレビ受信機は、システムウェアのアップデートを行うためのデータを抽出すると、自動的にシステムウェアのアップデートを行うことを特徴とする請求項２に記載のデジタル放送受信機。
【発明の詳細な説明】
【０００１】
【発明の属する技術分野】
本発明はデジタル放送受信機に関し、特に、内蔵されているシステムソフトウェアを自動的にアップデートする機能を備えたデジタル放送受信機に関するものである。
【０００２】
【従来の技術】
現在、人工衛星を放送中継点として利用した衛星デジタル放送サービスが提供されている。また、全国で視聴されているアナログ地上放送に代わる新しい地上デジタル放送の準備が進んでいる。この地上デジタル放送は２００３年に関東、近畿、東海の３大都市圏で開始され、２００６年には全国へ拡大される計画である。これにともない、現行のアナログ放送も２０１１年には廃止される予定になっている。
【０００３】
デジタル放送の１つの利点は、ユーザが視聴するためのコンテンツ（映像及び音声を含む）に加えて、データ放送やシステム制御用データを放送波に含めて放送することができることである。
【０００４】
ここで、放送波に含まれるシステム制御用データの利用方法として、デジタル放送受信機に内蔵されているシステムソフトウェアをアップデートするためのデータ及び命令を放送することが行われている。このデータを受信（ダウンロード）したデジタル放送受信機は、自動的に又はユーザの操作により、自機に内蔵しているシステムソフトウェアのアップデートを行うようになっている。これについて、以下に詳しく説明する。
【０００５】
図７は、従来のデジタル放送受信機の構成を示す機能ブロック図である。図７において、デジタル放送受信機は、アンテナ７００、チューナ部７０１、トランスポート処理部７０２、ＭＰＥＧ２音声復調部７０３、音声Ｄ／Ａ（デジタル／アナログ）変換部７０４、ＭＰＥＧ２映像復調部７０５、ビデオエンコーダ７０６、ＴＶモニタ７０７、ダウンロードデータ取得部７０８、ダウンロードデータ格納部７０９、ダウンロードデータ取得検出部７１０、ＯＳＤ（Ｏｎ−ｓｃｒｅｅｎ  Ｄｉｓｐｌａｙ）画面作成部７１１、システムソフトウェア更新部７１２、システムソフトウェア７１３、ＣＰＵ７１４、操作キー受付部７１５及び操作制御部７１６から構成されている。
【０００６】
このように構成されたデジタル放送受信機において、デジタル放送を受信し、コンテンツをＴＶモニタ７０７に表示するまでの動作を説明する。尚、図７に示すデジタル放送受信機の各機能ブロックの動作は、ＣＰＵ７１４により制御されているものとする。
【０００７】
アンテナ７００において受信したデジタル放送電波はチューナ部７０１に出力され、チューナ部７０１において同調した放送信号が取り出され、さらにこの放送信号はＴＳ（Ｔｒａｎｓｐｏｒｔ  Ｓｔｒｅａｍ：デジタル放送ストリーム）データに変換される。
【０００８】
トランスポート処理部７０２では、このＴＳデータを音声データ、映像データ及びその他のデータの３つに分離し、それぞれを、ＭＰＥＧ２音声復調部７０３、ＭＰＥＧ２映像復調部７０５及びダウンロードデータ取得部７０８に出力する。
【０００９】
分離された音声データは、ＭＰＥＧ２音声復調部７０３においてデジタル音声データに復調された後、音声Ｄ／Ａ変換部７０４においてアナログ音声信号に変換されて、ＴＶモニタ７０７に出力される。
【００１０】
分離された映像データは、ＭＰＥＧ２映像復調部７０５においてデジタル映像データに復調された後、ビデオエンコーダ７０６においてアナログ映像信号に変換されて、ＴＶモニタ７０７に出力される。
【００１１】
以上の処理により、受信したコンテンツがＴＶモニタ７０７に表示されるようになっている。
【００１２】
次に、放送波に含まれるコンテンツ以外のデータ（以下、「ダウンロードデータ」という）を取得し、これに基づいてデジタル放送受信機に内蔵されているシステムソフトウェアをアップデートする動作を説明する。
【００１３】
図７において、ダウンロードデータは、トランスポート処理部７０２においてその他のデータとして分離されて、ダウンロードデータ取得部７０８に出力される。ダウンロードデータ取得部７０８では、入力されたその他のデータの中から、システムソフトウェアのアップデートに必要なダウンロードデータを取得し、これをダウンロードデータ格納部７０９に出力して格納させる。
【００１４】
一般的に、ダウンロードデータは、複数のパケットに分割されて放送されており、これらのパケットは、ダウンロードデータ格納部７０９において再び統合されるようになっている。
【００１５】
ダウンロードデータ取得部７０８は、ダウンロードデータを構成する全てのパケットが取得され、ダウンロードデータ格納部７０９に格納されたことを認識すると、ダウンロードデータ取得検出部７１０にダウンロードデータの取得完了を示す信号を出力する。
【００１６】
これを受けたダウンロードデータ取得検出部７１０は、ＯＳＤ画面作成部７１１に信号を出力して、ダウンロードソフトによりシステムソフトウェアをアップデートするかどうかをユーザに確認する画面を作成するように要求する。ＯＳＤ画面作成部７１１は、この画面を作成し、ＭＰＥＧ２映像復調部７０５に出力する。
【００１７】
ＭＰＥＧ２映像復調部７０５は、復調した映像データに上記の確認画面をミキシングした映像データをビデオエンコーダ７０６に出力し、ビデオエンコーダ７０６はこのデータをアナログ映像信号に変換してＴＶモニタ７０７出力する。こうして、システムソフトウェアのアップデートの確認画面がユーザに表示される。
【００１８】
これを見たユーザは、デジタル放送受信機に備え付けの操作パネル又はリモコンにより、システムソフトウェアのアップデートの許可又は不許可の命令をデジタル放送受信機に送信する。この命令は操作キー受付部７１５を通じて操作制御部に入力される。
【００１９】
ユーザが、システムソフトウェアのアップデートを許可した場合には、システムソフトウェア更新部７１２にシステムソフトウェアのアップデートの要求を出力する。この要求を受けたシステムソフトウェア更新部７１２は、ダウンロードデータ格納部７０９に格納されているダウンロードデータに基づいて、システムソフトウェア７１３をアップデートする。こうすることで、システムソフトウェア７１３がアップデートされる。
【００２０】
尚、上記の例では、デジタル放送受信機がダウンロードデータを取得した後、ユーザがシステムソフトウェアのアップデートを許可して行わせる方式となっているが、自動的にアップデートが行われるようにしてもよい。
【００２１】
上記のようなシステムソフトウェアのアップデート機能を有するデジタル放送受信機の例として、例えば、特許文献１に開示されている「ディジタルテレビ放送受信機」では、衛星からダウンロードデータが送出されたことを検出した場合に、自動的に使用していない不揮発性メモリ領域にダウンロードデータを格納し、ユーザ操作の操作により、必要な時にシステムソフトウェアをアップデートすることができるシステムが提案されている。
【００２２】
【特許文献１】
特開２００２−１１２１３３号公報
【００２３】
【発明が解決しようとする課題】
しかしながら、上記のように、システムソフトウェアのアップデート用データを放送波に含めて放送する方法は、放送サービス提供者にとって、多大な手間とコストがかかるという問題があった。特に、衛星デジタル放送においては、通信衛星を中継しての通じての放送（衛星ダウンロード方式）となるため、手間とコストが高くなり、頻繁にアップデートを行うことが困難となっていた。
【００２４】
また、システムソフトウェアのアップデート用データを放送波に含めて放送すると、放送波を受信した全てのデジタル放送受信機がシステムソフトウェアのアップデートの対象となる。このため、特定のユーザのみを対象とした個別のアップデートを行うことができず、それぞれのユーザの属性に応じて異なったサービスを行いたい場合には不便であるという問題があった。
【００２５】
それぞれのユーザの属性に応じて異なったサービスを行うためには、例えば、各ユーザ宅にサービスマンを派遣してシステムソフトウェアのアップデート等を行わせるという方法がある。この方法は、比較的狭い範囲であれば有効であるが、全国規模での対応は難しく、またサービスマンの人件費等のコストが高くなってしまうという問題がある。
【００２６】
本発明は、このような実情に鑑み、デジタル放送受信機に内蔵されたシステムソフトウェアのアップデートを自動的に行う機能を、簡易で低コスト、かつユーザの個別対応が可能となるような方法で実現することができるデジタル放送受信機を提供しようとするものである。
【００２７】
【課題を解決するための手段】
上記解決課題に鑑みて鋭意研究の結果、本発明者は、システムソフトウェアのアップデート用データを、通信回線を通じて各デジタル放送受信機に送信することにより、簡易で低コスト、かつユーザの個別対応が可能となるような方法で、デジタル放送受信機に内蔵されたシステムソフトウェアのアップデートを自動的に行うことができることに想到した。ここで、システムソフトウェアのアップデート用データを、通信回線を通じて各デジタル放送受信機に送信する方法としては、例えば、当該データを電子メールに添付して送信することが可能である。
【００２８】
すなわち、本発明は、電子メールを受信する手段を有しており、
受信した電子メールに含まれるデータに基づいて、システムウェアをアップデートすることが可能であるデジタル放送受信機を提供するものである。
【００２９】
本発明は、また、電子メールを受信する手段と、受信した電子メールに含まれるデータを抽出する手段と、前記抽出したデータに基づいてシステムウェアをアップデートする手段と、を有しているデジタル放送受信機を提供するものである。
【００３０】
前記デジタルテレビ受信機は、受信した電子メールのメールヘッダを解析する手段を有しており、該メールヘッダに含まれる情報に基づいて、前記電子メールがシステムウェアのアップデートを行うためのデータを含んでいることを検出することを特徴とする。
【００３１】
前記システムウェアのアップデートを行うためのデータは複数のデータに分割されており、該分割されたデータに付されたＩＤ情報に基づいて該分割されたデータを結合することができることを特徴とする。
【００３２】
前記ＩＤ情報は、電子メールのメールヘッダに含まれていることを特徴とする。
前記電子メールのメールヘッダは暗号化されており、デジタル放送波から取得されるデスクランブルキーを用いて、前記メールヘッダを復号することが可能であることを特徴とする。
【００３３】
さらに、前記デジタルテレビ受信機は、システムウェアのアップデートの許可をユーザに求める手段を有しており、ユーザが許可した場合に、システムウェアのアップデートを行うことを特徴とする。
【００３４】
さらに、前記デジタルテレビ受信機は、システムウェアのアップデートを行うためのデータを抽出すると、自動的にシステムウェアのアップデートを行うことを特徴とする。
【００３５】
【発明の実施の形態】
以下、添付図面を参照しながら、本発明のデジタル放送受信機の実施形態を詳細に説明する。
【００３６】
本発明のデジタル放送受信機の第１実施形態は、システムソフトウェアのアップデートを行うためのダウンロードデータを電子メールにより受信することを特徴とするものである。図１は、本実施形態のデジタル放送受信機の構成を示す機能ブロック図である。
【００３７】
尚、図１では、本実施形態の特長的な構成部分のみを図示しているが、その他の構成部分に関しては、図７に示す従来のデジタル放送受信機と同様に構成されているものとする。すなわち、本実施形態のデジタル放送受信機は、アンテナ７００、チューナ部７０１、トランスポート処理部７０２、ＭＰＥＧ２音声復調部７０３、音声Ｄ／Ａ（デジタル／アナログ）変換部７０４、ＭＰＥＧ２映像復調部７０５、ビデオエンコーダ７０６及びＴＶモニタ７０７を備えており、それぞれは、上記に説明したのと同様の動作をするものとする。
【００３８】
図１に示すように、本実施形態のデジタル放送受信機の特徴部分は、メール受信部１００、メールヘッダ解析部１０１、ダウンロードデータ抽出部１０２、ダウンロードデータ取得検出部１０３、ＯＳＤ画面作成部１０４、ダウンロードデータ格納部１０５、システムソフトウェア更新部１０６、システムソフトウェア１０７、ＣＰＵ１０８、操作キー受付部１０９及び操作制御部１１０から構成されている。
【００３９】
ここで、メール受信部１００、メールヘッダ解析部１０１及びダウンロードデータ抽出部１０２は、図７におけるダウンロードデータ取得部７０８に相当するものであり、放送波からのダウンロードデータの取得に代えて、ネットワークを通じて受信した電子メールからダウンロードデータを取得するよう機能するものである。
【００４０】
上記のような構成を有する本実施形態のデジタル放送受信機において、電子メールからダウンロードデータを取得し、これに基づいてシステムソフトウェアをアップデートする動作について説明する。
【００４１】
まず、メール受信部１００において、外部ネットワークを通じて、ダウンロードデータを含んだ電子メールを受信する。
【００４２】
ここで、ダウンロードデータを含んだ電子メールのデータ構成について説明する。図２は、このような電子メールのデータ構成を示す図である。図２に示す電子メールデータ２０１は、通常の電子メール同様に、メッセージＩＤ（Ｍｅｓｓａｇｅ−Ｉｄ）、コンテンツの属性に関する情報（Ｍｉｍｅ−Ｖｅｒｓｉｏｎ、Ｃｏｎｔｅｎｔ−Ｔｙｐｅ）、受信日時（Ｄａｔｅ）、送信先（Ｔｏ）、送信元（Ｆｒｏｍ）、件名（Ｓｕｂｊｅｃｔ）などからなるメールヘッダを含んでいる。メールヘッダに含まれるこれらの情報は、本実施形態のデジタル放送受信機において、従来の電子メール受信ソフトウェアと同様に処理されるものとする。例えば、「このメールはダウンロードデータを添付しています。」という電子メールのコンテンツを、受信日時、送信元、件名などの情報とともに、ＴＶモニタに表示するようにしてもよい。
【００４３】
本実施形態では、電子メールデータ２０１にダウンロードデータ２０３を添付するとともに、メールヘッダにダウンロードデータヘッダ２０２（Ｘ−Ｄｏｗｎｌｏａｄ−Ｄａｔａ）を含んでいることを特徴とする。これにより、本実施形態のデジタル放送受信機は、受信した電子メールからダウンロードデータを取得することが可能となっている。
【００４４】
本実施形態のデジタル放送受信機は、上記のようなデータ構成を有する電子メールをメール受信部１００において受信すると、メールヘッダ解析部１０１において該電子メールのメールヘッダを解析し、該電子メールがダウンロードデータヘッダ２０２を含んでいることを検出する。
【００４５】
続いて、デジタル放送受信機は、ダウンロードデータ抽出部１０２において、受信した電子メールに添付されているダウンロードデータ１１３を抽出する。ここで、一般的に、電子メールに添付されて送信されるダウンロードデータ１１３は、ｂａｓｅ６４エンコードされているため、ダウンロードデータ抽出部１０２は、抽出したダウンロードデータ１１３をｂａｓｅ６４デコードするようになっている。
【００４６】
このようにして抽出されたダウンロードデータ１１３はダウンロードデータ格納部１０５に格納される。上記の従来技術同様、ダウンロードデータ１１３は分割して送信されることがあるため、複数に分割されたダウンロードデータ１１３の全てを取得したことをダウンロードデータ取得検出部１０３において検出するようにしている。
【００４７】
ダウンロードデータの取得が完了すると、ＯＳＤ画面作成部１０４は、ダウンロードデータによりシステムソフトウェアをアップデートすることが可能であることをユーザに確認する画面を作成し、ＴＶモニタを通じてユーザに提示する。
【００４８】
これを見たユーザは、操作パネル又はリモコンを操作して、システムソフトウェアのアップデートを許可する又は許可しない指示をデジタル放送受信機に送信することができる。この指示を受信した操作キー受付部１０９は、その内容を操作制御部１１０に出力する。
【００４９】
ユーザがシステムソフトウェアのアップデートを許可した場合には、操作制御部１１０は、システムソフトウェア更新部１０６を通じて、システムソフトウェア１０７のアップデートを行う。操作制御部１１０は、また、システムソフトウェアをアップデートする旨の通知画面をＯＳＤ画面作成部１０４に作成させる。
【００５０】
ユーザがシステムソフトウェアのアップデートを許可しなかった場合には、操作制御部１１０は、システムソフトウェア更新部１０６を通じて、ダウンロードデータ格納部１０５に格納されているダウンロードデータを破棄するようにしてもよい。
【００５１】
こうして、本実施形態のデジタル放送受信機では、受信した電子メールに含まれるダウンロードデータを用いて、システムソフトウェア１０７をアップデートすることができるようになっている。
【００５２】
尚、上記では、ユーザの許可により、システムソフトウェアのアップデートが行われるように構成されているが、ダウンロードデータを取得したら自動的にシステムソフトウェアのアップデートが行われるようすることもできる。
【００５３】
次に、本発明のデジタル放送受信機の第２実施形態について説明する。本実施形態のデジタル放送受信機は、第１実施形態の特徴に加えて、分割されて送信されるダウンロードデータをダウンロードＩＤにより識別する機能を備えたものである。
【００５４】
図３は、本実施形態のデジタル放送受信機の構成を示す機能ブロック図である。尚、図３では、本実施形態の特長的な構成部分のみを図示しており、その他の構成部分に関しては、図１に示す本発明の第１実施形態と同様に構成されているものとする。
【００５５】
図３において、メール受信部３００、メールヘッダ解析部３０１、ダウンロードデータ抽出部３０２、ダウンロードデータ取得検出部３０３及びダウンロードデータ格納部３０５のそれぞれは、図１に示す第１実施形態の対応する構成部分と同様に構成され、同様の動作をするものである。
【００５６】
本実施形態のデジタル放送受信機は、さらに、ダウンロードＩＤ検出部３１１を有していることを特徴とする。
【００５７】
ここで、本実施形態において受信されるダウンロードデータを含んだ電子メールのデータ構成は、図２に示す第１実施形態のものと同様なものである。図４は、本実施形態において受信される電子メールのダウンロードデータヘッダ及び当該電子メールに含まれるダウンロードデータの全体構成を示す図である。
【００５８】
図４に示すように、本実施形態では、デジタル放送受信機が取得するダウンロードデータ４０６は複数のデータに分割されて、それぞれ電子メールに添付されて受信されるようになっている。今、図４において、ダウンロードデータ４０６は８つのデータに分割されて送信されているものとする。
【００５９】
分割されたそれぞれのデータには、１〜８のダウンロードＩＤが割り当てられている。このダウンロードＩＤは、それぞれのデータが添付される電子メールのダウンロードデータヘッダ４０２に含まれるようになっており、デジタル放送受信機はこのダウンロードデータヘッダ４０２に基づいて、受信したデータがダウンロードデータ４０６の分割されたデータのうちいずれに該当するのかを識別する。
【００６０】
図３において、メールヘッダ解析部３０１は、メール受信部３００において受信した電子メールから、ダウンロードデータヘッダ４０２を検出すると、これをダウンロードデータ抽出部３０２及びダウンロードＩＤ検出部３１１に出力する。ダウンロードＩＤ検出部３１１は、図４に示すようなダウンロードデータヘッダ４０２を検出すると、そこに含まれるダウンロードＩＤ４０４をダウンロードデータ格納部３０５に通知する。
【００６１】
こうして、ダウンロードデータ格納部３０５は、分割された状態で受信されたデータがダウンロードデータ４０６の何番目のデータであるのかを認識することができる。これにより、ダウンロードデータ格納部３０５は、受信した分割データの格納位置を決定することができる。例えば、図４において、ダウンロードＩＤが３であるデータは、ダウンロードデータ格納部３０５内のダウンロードデータ４０６の記憶領域のうち、３番目の領域に当たるダウンロードデータ格納位置４０８に格納されるようになっている。
【００６２】
以上説明したような機能を有する本実施形態のデジタル放送受信機によれば、大容量のダウンロードデータであっても、分割して効率よく送信することが可能となる。
【００６３】
次に、本発明のデジタル放送受信機の第３実施形態について説明する。本実施形態のデジタル放送受信機は、第１実施形態の特徴に加えて、ダウンロードデータを含む電子メールのダウンロードデータヘッダを暗号化して送信する機能を備えたものである。
【００６４】
図５は、本実施形態のデジタル放送受信機の構成を示す機能ブロック図である。尚、図５では、本実施形態の特長的な構成部分のみを図示しており、その他の構成部分に関しては、図１に示す本発明の第１実施形態と同様に構成されているものとする。
【００６５】
図５において、メール受信部５０４、メールヘッダ解析部５０５及びダウンロードデータ抽出部５０６のそれぞれは、図１に示す第１実施形態の対応する構成部分と同様に構成され、同様の動作をするものである。また、アンテナ５００、チューナ部５０１及びトランスポート処理部５０２のそれぞれは、図７に示す従来のデジタル放送受信機の対応する構成部分と同様に構成され、同様の動作をするものである。
【００６６】
ここで、本実施形態において受信されるダウンロードデータを含んだ電子メールのデータ構成は、図２に示す第１実施形態のものと同様なものであるが、ダウンロードデータヘッダが暗号化されている点において異なっている。図６は、本実施形態において受信される電子メールのダウンロードデータヘッダを示す図である。
【００６７】
図６において、復号前のダウンロードデータヘッダ６０２は、暗号化データ６０４を含んでおり、復号後のダウンロードデータヘッダ６０６は、複合化データ６０８を含んでいる。
【００６８】
本実施形態のデジタル放送受信機は、さらに、デスクランブルキー取得部５０３を有していることを特徴とする。本実施形態では、暗号化されたダウンロードデータヘッダを復号するためのデスクランブルキーを放送波に含めて放送しており、デスクランブルキー取得部５０３は、この放送波に含まれるデスクランブルキーを取得するものである。
【００６９】
本実施形態のデジタル放送受信機において、アンテナ５００において受信したデジタル放送波は、チューナ部５０１において同調した放送信号が取り出された後、ＴＳデータに変換される。続いて、トランスポート処理部５０２において、ＴＳデータを音声データ、映像データ及びその他のデータの３つに分離するが、このとき、その他のデータがデスクランブルキー取得部５０３に出力されるようになっている。こうして、デスクランブルキー取得部５０３は、ダウンロードデータヘッダを復号化するためのデスクランブルキーを取得する。デスクランブルキー取得部５０３において取得されたデスクランブルキーは、メールヘッダ解析部５０５に出力される。
【００７０】
メールヘッダ解析部５０５は、受信した電子メールから取得される暗号化されたダウンロードデータヘッダ６０２に、デスクランブルキー取得部５０３から入力されるデスクランブルキーを適用することにより、ダウンロードデータヘッダ６０２に含まれる暗号化データ６０４を復号して、復号化６０８を含むダウンロードデータヘッダ６０６を得る。
【００７１】
こうして取得された復号化後のダウンロードデータヘッダ６０６を含む電子メールデータをダウンロードデータ抽出部５０６に出力することにより、以降の処理を第１実施形態と同様に行うことができる。
【００７２】
本実施形態によれば、より安全性の低い電子メールによるシステムソフトウェアのアップデートを行う本発明において、不正な電子メールによりシステムソフトウェアのアップデートが行われてしまう被害を効果的に防止することができる。
【００７３】
尚、本発明のデジタル放送受信機の第１〜第３実施形態について詳細に説明したが、本発明のデジタル放送受信機は、上記したこれらの実施形態に限定されるものではなく、本発明の要旨を逸脱しない範囲内において、様々な変更を加ることが可能である。
【００７４】
【発明の効果】
以上、説明したように、本発明のデジタル放送受信機によれば、システムソフトウェアのアップデート用データを、電子メールに添付して送信することにより、簡易かつ低コストで、各ユーザに対応したシステムソフトウェアのアップデート行うことができる。
【００７５】
また、システムソフトウェアのアップデート用データの容量が大きい場合には、ダウンロードデータを分割して、それぞれを電子メールに添付して送信した後、これを受信したデジタル放送受信機において分割されたダウンロードデータを再び統合することを可能とすることにより、どのような大きな容量のダウンロードデータであっても対応することが可能となる。
【００７６】
さらに、電子メールデータに添付するダウンロードデータに含まれるダウンロードデータヘッダを暗号化するとともに、これを復号するためのキーを放送波に含めて放送することにより、不正な電子メールによりシステムソフトウェアのアップデートが行われてしまうのを防止することができる。
【図面の簡単な説明】
【図１】本発明のデジタル放送受信機の第１実施形態の構成を示す機能ブロック図である。
【図２】本発明の第１実施形態において受信されるダウンロードデータを含んだ電子メールのデータ構成を示す図である。
【図３】本発明のデジタル放送受信機の第２実施形態の構成を示す機能ブロック図である。
【図４】本発明の第２実施形態において受信されるダウンロードデータを含んだ電子メールのデータ構成を示す図である。
【図５】本発明のデジタル放送受信機の第３実施形態の構成を示す機能ブロック図である。
【図６】本発明の第３実施形態において受信されるダウンロードデータを含んだ電子メールのデータ構成を示す図である。
【図７】従来のデジタル放送受信機の構成を示す機能ブロック図である。
【符号の説明】
１００    メール受信部
１０１    メールヘッダ解析部
１０２    ダウンロードデータ抽出部
１０３    ダウンロードデータ取得検出部
１０４    ＯＳＤ画面作成部
１０５    ダウンロードデータ格納部
１０６    システムソフトウェア更新部
１０７    システムソフトウェア
１０８    ＣＰＵ
１０９    操作キー受付部
１１０    操作制御部
１１３    ダウンロードデータ
２０１    電子メールデータ
２０２    ダウンロードデータヘッダ
２０３    ダウンロードデータ
３００    メール受信部
３０１    メールヘッダ解析部
３０２    ダウンロードデータ抽出部
３０３    ダウンロードデータ取得検出部
３０５    ダウンロードデータ格納部
３１１    ダウンロードＩＤ検出部
４０２    ダウンロードデータヘッダ
４０４    ダウンロードＩＤ
４０６    ダウンロードデータ全体構成
４０８    ダウンロードデータ格納位置
５００    アンテナ
５０１    チューナ部
５０２    トランスポート処理部
５０３    デスクランブルキー取得部
５０４    メール受信部
５０５    メールヘッダ解析部
５０６    ダウンロードデータ抽出部
６０２    複合化前のダウンロードデータヘッダ
６０４    暗号化データ
６０６    復号化後のダウンロードデータヘッダ
６０８    複合化データ
７００    アンテナ
７０１    チューナ部
７０２    トランスポート処理部
７０３    ＭＰＥＧ２音声復調部
７０４    Ｄ／Ａ変換部
７０５    ＭＰＥＧ２映像復調部
７０６    ビデオエンコーダ
７０７    ＴＶモニタ
７０８    ダウンロードデータ取得部
７０９    ダウンロードデータ格納部
７１０    ダウンロードデータ取得検出部
７１１    ＯＳＤ画面作成部
７１２    システムソフトウェア更新部
７１３    システムソフトウェア
７１４    ＣＰＵ
７１５    操作キー受付部
７１６    操作制御部
【図１】
2004178201.tif 000003
【図２】
2004178201.tif 000004
【図３】
2004178201.tif 000005
【図４】
2004178201.tif 000006
【図５】
2004178201.tif 000007
【図６】
2004178201.tif 000008
【図７】
2004178201.tif 000009